(57)【要約】    【課題】  エッジライト方式のバックライト等の面光源装置を構成する導光体における輝度均一性を更に向上させる。      【解決手段】  保持手段により保持される導光体２の端面２ｃの切削加工のための仕上げ切削刃物１２及び粗切削刃物１４を支持する刃物台１０と、それをＸ方向に送り移動させるサーボモータ８ｂ及びボールネジ軸８ｃを含む送り移動機構と、刃物台１０をＹ方向に移動させるサーボモータ４ａ、ベルト４ｂ及びネジ軸４ｃを含む切り込み移動機構と、これら送り移動機構と切り込み移動機構とを仕上げ切削刃物１２による導光体端面２ｃの切削加工の切り込み量が加工位置に応じて変化するように制御する制御部２０とを備える端面仕上げ加工装置を用いて、光入射端面２ｃの端部近傍の２ｍｍ以上の長さの領域を他の領域より局所的に３〜５０μｍ深く後退して形成することで表面粗さを大きくする。【選択図】  図１
2005026173.tif 000002
【特許請求の範囲】
【請求項１】
２つの主面とこれら主面の外周縁に隣接する端面とを有する透光性合成樹脂板からなり、一次光源から発せられる光を導光し、前記端面のうちの少なくとも１つを光入射端面とし且つ前記主面の少なくとも一方を光出射面とする導光体であって、
前記光入射端面は、少なくとも２ｍｍ以上の長さの領域が他の領域より局所的に３〜５０μｍ深く後退して形成されていることを特徴とする面光源装置用導光体。
【請求項２】
前記局所的に後退して形成されている領域は、少なくとも一方の端部の近傍の領域であることを特徴とする、請求項１に記載の面光源装置用導光体。
【請求項３】
前記局所的に後退して形成されている領域は、その後退量が前記端部から遠ざかるにつれて徐々に小さくなっていることを特徴とする、請求項２に記載の面光源装置用導光体。
【請求項４】
前記局所的に後退して形成されている領域は、前記他の領域より表面粗さが大きいことを特徴とする、請求項２〜３のいずれかに記載の面光源装置用導光体。
【請求項５】
前記局所的に後退して形成されている領域は、その表面粗さが前記端部から遠ざかるにつれて徐々に小さくなっていることを特徴とする、請求項４に記載の面光源装置用導光体。
【請求項６】
前記局所的に後退して形成されている領域の１０点最大平均粗さＲａは前記他の領域の１０点最大平均粗さＲａより最大で０．０３μｍ以上大きいことを特徴とする、請求項１〜５のいずれかに記載の面光源装置用導光体。
【請求項７】
請求項１〜６のいずれかに記載の面光源装置用導光体と、該導光体の前記光入射端面に対向するように且つ該光入射端面の長手方向に沿って配置された線状一次光源とを含んで構成された面光源装置。
【請求項８】
前記導光体の光出射面に対向するように配置されたプリズムシートを更に備えていることを特徴とする、請求項７に記載の面光源装置。
【請求項９】
２つの主面とこれら主面の外周縁に隣接する端面とを有する透光性合成樹脂板からなり、一次光源から発せられる光を導光し、前記端面のうちの少なくとも１つを光入射端面とし且つ前記主面の少なくとも一方を光出射面とする導光体、を製造する方法であって、
前記光入射端面及び前記主面の双方に沿う方向に刃物台の送り移動を行うことで、前記刃物台に支持された切削刃物により前記光入射端面の切削加工を行い、その際に前記切削刃物による前記光入射端面の切削加工の切り込み量を、前記光入射端面の２ｍｍ以上の長さの領域については他の領域より局所的に３〜５０μｍ大きくすることを特徴とする、面光源装置用導光体の製造方法。
【請求項１０】
前記局所的に切り込み量を大きくする領域は、前記光入射端面の少なくとも一方の端部の近傍の領域であることを特徴とする、請求項９に記載の面光源装置用導光体の製造方法。
【請求項１１】
前記光入射端面の少なくとも一方の端部から２ｍｍ以上の長さの領域については、前記切削加工の切り込み量を他の領域より局所的に大きくすることで、表面粗さを他の領域より局所的に大きくすることを特徴とする、請求項１０に記載の面光源装置用導光体の製造方法。
【請求項１２】
前記光入射端面の少なくとも一方の端部から２ｍｍ以上の長さの領域については、前記切り込み量を加工位置に応じて変化させることを特徴とする、請求項９〜１１のいずれかに記載の面光源装置用導光体の製造方法。
【請求項１３】
前記切削刃物を前記刃物台に対し固定した状態で前記端面の切削加工を行うことを特徴とする、請求項９〜１２のいずれかに記載の面光源装置用導光体の製造方法。
【請求項１４】
前記切削刃物としてダイヤモンドバイトを使用することを特徴とする、請求項９〜１３のいずれかに記載の面光源装置用導光体の製造方法。
【請求項１５】
前記ダイヤモンドバイトは、平均粒径が０．５〜１５μｍの範囲内で該平均粒径値に対してその±５０％の範囲内の粒径のダイヤモンド粒子をバインダーと共に焼結して得られたものであることを特徴とする、請求項１４に記載の面光源装置用導光体の製造方法。
【請求項１６】
前記刃物台の送り移動を一定速度で行うことを特徴とする、請求項９〜１５のいずれかに記載の面光源装置用導光体の製造方法。
【請求項１７】
前記刃物台の送り移動を前記端面の加工位置に応じて変化させることを特徴とする、請求項９〜１５のいずれかに記載の面光源装置用導光体の製造方法。
【請求項１８】
前記刃物台の送り移動の速度を５０〜２０００ｍｍ／ｓｅｃの範囲内とすることを特徴とする、請求項１６〜１７のいずれかに記載の面光源装置用導光体の製造方法。
【発明の詳細な説明】
【技術分野】
【０００１】
本発明は、光源装置の技術に属するものであり、特に面光源装置用導光体及びその製造方法に関するものである。本発明の面光源装置用導光体は、たとえば、液晶表示装置のバックライトを構成するのに好適である。
【背景技術】
【０００２】
近年、液晶表示装置は、携帯用ノートパソコンやパソコン等のモニターとして、あるいは液晶テレビやビデオ一体型液晶テレビ、携帯電話機、携帯情報端末等の表示部として、種々の分野で広く使用されてきている。また、情報処理量の増大化、ニーズの多様化、マルチメディア対応等に伴って、液晶表示装置の大画面化、高精細化が盛んに進められている。
【０００３】
液晶表示装置は、基本的にバックライト部と液晶表示素子部とから構成されている。バックライト部としては、液晶表示装置のコンパクト化の観点から、エッジライト方式のものが多用されている。この方式のものでは、液晶表示素子部の背面側に板状導光体を配置し、その際に該導光体の一主面（光出射面）が液晶表示素子部の背面に対向するようにし、更に導光体の少なくとも１つの側端面（光入射端面）に対向するように一次光源を配置している。エッジライト方式の導光体としては、アクリル樹脂などの透光性合成樹脂を射出成形などの成形法を用いて板状に成形したものが使用される。射出成形により得られるブランクにはその端部にスプルーやランナーが付属しているので、成形加工後に所要の寸法及び形状の導光体にするために、これら不要部分を切り落とす。
【０００４】
ところで、上記エッジライト方式のバックライトの導光体では、一次光源から出射され導光体の光入射端面に入射し導光体内へと導かれた光の該導光体内での分布が光出射面からの出射光分布に大きく影響する。導光体内での光の分布は、光入射端面の性状によっても影響される。このため、従来、全体に亘ってできるだけ性状均一性の高い光入射端面を得るために、上記不要部分の切り落としの後にゲートカット痕などを除去すべく端面切削加工がなされている。この端面切削加工は、たとえば特開２００１−２６００７５号公報（特許文献１）に記載されているような装置を用いてなされる。この端面切削装置では、導光体の被加工端面部の厚さより大きな寸法の幅を持つダイヤモンドバイトを刃物台に固定して、該刃物台を導光体の被加工端面及び主面の双方に沿った方向に移動させ、所要の切り込み量にて繰り返し切削加工する。これにより、短時間で表面性状の均一性の高められた端面に加工できる。
しかし、近年、バックライトの光学的性能に対する要求はますます高くなっており、特に液晶表示素子の有効な表示領域に対応するバックライトの有効発光領域内での高い輝度均一性が要求されている。更に、局所的に輝度の極端に低い又は高い領域が発生すると特に目立って視認されるので、そのような局所的低／高輝度領域の発生を極力抑制することが極めて好ましい。このような局所的低／高輝度領域発生の原因の具体例としては、一次光源から光入射端面を介して導光体内に導かれる光の分布の不均一が挙げられる。
すなわち、一次光源として冷陰極管などの線状光源を用いた場合には、その端部に非発光部であるソケットが付されているので、該非発光部に対向して位置する光入射端面両端部分の近傍の導光体領域（導光体隅部）において導光体光出射面の輝度が低下する。この輝度低下領域がバックライト有効発光領域外であれば問題ないのであるが、近年、有効発光領域の大きさを維持しつつバックライトの外形寸法を小さくすることが要求されており、この要求に応ずるためにはできるだけ輝度低下領域を小さくすることが必要である。
【０００５】
上記の端面切削装置及びこれを用いた切削方法は、以上のような局所的な低／高輝度領域の発生には対処しておらず、従って導光体の光出射面の輝度均一性の向上に関しては未だ十分とはいえない。
【特許文献１】特開２００１−２６００７５号公報
【発明の開示】
【０００６】
そこで、本発明は、以上のような従来技術の問題点に鑑みて、エッジライト方式のバックライト等の面光源装置を構成する導光体における輝度均一性を更に向上させることを目的とするものである。
【０００７】
本発明によれば、以上の如き目的を達成するものとして、
２つの主面とこれら主面の外周縁に隣接する端面とを有する透光性合成樹脂板からなり、一次光源から発せられる光を導光し、前記端面のうちの少なくとも１つを光入射端面とし且つ前記主面の少なくとも一方を光出射面とする導光体であって、
前記光入射端面は、少なくとも２ｍｍ以上の長さの領域が他の領域より局所的に３〜５０μｍ深く後退して形成されていることを特徴とする面光源装置用導光体、
が提供される。ここで、前記局所的に後退して形成されている領域は、たとえば、少なくとも一方の端部の近傍の領域である。
また、本発明によれば、以上の如き目的を達成するものとして、
２つの主面とこれら主面の外周縁に隣接する端面とを有する透光性合成樹脂板からなり、一次光源から発せられる光を導光し、前記端面のうちの少なくとも１つを光入射端面とし且つ前記主面の少なくとも一方を光出射面とする導光体、を製造する方法であって、
前記光入射端面及び前記主面の双方に沿う方向に刃物台の送り移動を行うことで、前記刃物台に支持された切削刃物により前記光入射端面の切削加工を行い、その際に前記切削刃物による前記光入射端面の切削加工の切り込み量を、前記光入射端面の２ｍｍ以上の長さの領域については他の領域より局所的に３〜５０μｍ大きくすることを特徴とする、面光源装置用導光体の製造方法、
が提供される。ここで、前記局所的に切り込み量を大きくする領域は、たとえば、前記光入射端面の少なくとも一方の端部の近傍の領域である。
本発明においては、前記切り込み量を前記光入射端面の２ｍｍ以上の長さの領域たとえば少なくとも一方の端部から２ｍｍ以上の長さの領域については他の領域より局所的に３〜５０μｍ大きくすることで、この局所的に３〜５０μｍ深く後退して形成された領域の表面粗さを他の領域より大きく設定することができる。これにより、前記後退して形成された領域での光入射の際の光拡散を大きくして、導光体の一部たとえば隅部における導光体光出射面の輝度低下を防止することが可能となる。
【発明を実施するための最良の形態】
【０００８】
以下、図面を参照しながら、本発明の実施の形態を説明する。図１は、本発明による面光源装置用導光体の製造方法の実施に使用される端面仕上げ加工装置を説明するための模式的構成図であり、図２は、その模式的斜視図である。
これらの図において、符号２は、被加工物である透光性合成樹脂板からなる液晶表示装置用のエッジライト方式のバックライトを構成する板状の導光体である。導光体２は、２つの主面２ａ，２ｂとこれら主面の外周縁に隣接する端面２ｃ，２ｄ，２ｅ，２ｆとを有する。主面２ａは光出射面として利用され、端面２ｃは光入射端面として利用される。導光体２は、不図示の加工装置本体に設けられた不図示の保持手段により所要の位置に位置決めされて、ほぼ水平に（即ち主面２ａ，２ｂがほぼＸＹ面と平行な面内に位置するように）保持されている。端面２ｃは、被加工端面であり、ＸＺ面に平行に位置する。透光性合成樹脂板は、切削加工可能なものであれば材質には特に制限はなく、例えばアクリル樹脂、ポリカーカーボネート樹脂または環状ポリオレフィン樹脂からなる。
加工装置本体にはバックプレート４が固定されている。該バックプレートにはＹ方向に延びたガイドレール６が取り付けられており、該ガイドレールによりガイドされてＹ方向に往復移動可能なように刃物台支持部８が取り付けられている。上記バックプレート４には正逆回転可能なサーボモータ４ａが取り付けられており、その回転力は出力回転軸に巻き掛けられたベルト４ｂを介してそれぞれＹ方向に延びた２本のネジ軸４ｃに伝達される。一方、刃物台支持部８には、上記ネジ軸に形成された雄ネジと係合する雌ネジの形成された雌ネジ部材８ａが取り付けられている。したがって、サーボモータ４ａを駆動し停止させることで、刃物台支持部８をＹ方向に所望の位置へと移動させ停止させることができる。
刃物台支持部８には、正逆回転可能なサーボモータ８ｂが取り付けられており、その回転力はボールネジ軸８ｃに伝達される。刃物台支持部８により、刃物台１０がＸ方向に移動可能なように支持されている。即ち、刃物台１０には、ボールネジ軸８ｃと係合する係合部材１０ａが取り付けられており、サーボモータ８ａを駆動し停止させることで、刃物台１０をＸ方向に所望の位置へと移動させ停止させることができる。尚、図示はしないが、刃物台支持部８には刃物台１０のＸ方向移動をガイドするためのガイドレールが設けられており、刃物台１０はこのガイドレールと上記ボールネジ軸８ｃとに沿ってＸ方向に平行移動せしめられる。
刃物台１０の移動精度を高めるために、上記ガイドレールを２本互いに平行に配置して使用するのが好ましい。これにより、ボールネジ軸８ｃには主として刃物台の駆動の機能のみをもたせ、ガイドレールに刃物台１０の位置精度を高く維持し且つ刃物台１０の駆動時の振動を抑制する機能をもたせることができる。
刃物台１０とガイドレールとのクリアランスを適度に設定することが望ましい。このクリアランスは例えば１〜５μｍ程度とすることが好ましい。クリアランスが上記範囲を外れて小さくなりすぎると、刃物台１０の駆動ができなくなる場合がある。また、クリアランスが上記範囲を外れて大きくなりすぎると、刃物台１０の駆動の際にブレによる振動が生じて、導光体端面に斜光発生の原因となる不規則な凹凸パターンが形成されやすくなる傾向にある。
刃物台１０には、仕上げ切削刃物１２と該仕上げ切削刃物による切削加工に先立って行われる粗切削加工のための粗切削刃物１４とが取り付けられている。これらの刃物は、例えば焼結多結晶ダイヤモンドバイトであり、仕上げ切削刃物１２は粗切削刃物１４に比べて小さい粒子のダイヤモンドを使用している。ダイヤモンドバイトは、例えば、平均粒径が０．５〜１５μｍ、好ましく０．５〜１２μｍ、更に好ましくは１〜３μｍの範囲内で該平均粒径値に対してその±５０％の範囲内の粒径のダイヤモンド粒子をバインダーと共に焼結して得られたものである。ダイヤモンド粒子の平均粒径が１５μｍより大きくなると、導光体の光入射端面の近傍に明帯が現れやすくなり、ダイヤモンド粒子の平均粒径が０．５μｍより小さくなると、導光体の光入射端面の近傍に暗帯が現れやすくなる。
【０００９】
刃物台１０には、仕上げ切削刃物１２及び粗切削刃物１４のうちの一方を他方より切り込み移動の移動方向（Ｙ方向）に関して前進した第１の位置及び後退した第２の位置にて切り替えて支持する刃物支持位置切り替え手段１０ｂが付設されている。該刃物支持位置切り替え手段は、具体的には例えば粗切削刃物１４のみを第１の位置と第２の位置との間で位置切り替え可能に支持するものからなるが、仕上げ切削刃物１２のみを位置切り替え可能に支持してもよいし、双方の切削刃物１２，１４を同時に互いに逆向きに位置切り替え可能に支持してもよい。粗切削刃物１４のみを位置切り替え可能に支持する刃物支持位置切り替え手段１０ｂとしては、例えば、刃物台１０に対して粗切削刃物１４をＹ方向位置が可変なように支持し、粗切削刃物１４と共に移動する部材をエアシリンダーなどによりＹ方向に駆動するようにしたものが挙げられる。
図３は、導光体２と仕上げ切削刃物１２及び粗切削刃物１４とのＺ方向に関する位置関係を示す模式図である。図示されているように、仕上げ切削刃物１２及び粗切削刃物１４は、導光体２の端面２ｃの幅（Ｚ方向寸法）より大きな幅（Ｚ方向寸法）を持っており、導光体端面２ｃの幅全体を仕上げ切削刃物１２または粗切削刃物１４により一時に切削加工することができる。
上記サーボモータ４ａ、ベルト４ｂ、ネジ軸４ｃ、雌ネジ部材８ａ及び刃物台支持部８を含んで切り込み移動機構が構成されており、上記サーボモータ８ｂ、ボールネジ軸８ｃ及び係合部材１０ａを含んで送り移動機構が構成されている。サーボモータ４ａ，８ｂ及び刃物支持位置切り替え手段１０ｂは、制御部２０により制御される。以下、制御部２０の動作を、図４、図５及び図６をも参照しながら説明する。
図４は、刃物支持位置切り替え手段１０ｂによる粗切削刃物１４の位置切り替えと粗切削加工及び仕上げ切削加工の説明図であり、図５は、最終仕上げ切削加工の加工位置と切り込み量との関係を示す図であり、図６は、最終仕上げ切削加工により形成される導光体端面の形状を示す図である。
導光体端面２ｃの粗切削加工に際しては、制御部２０からの指令に基づき、刃物支持位置切り替え手段１０ｂは、図４（ａ）に示されるように、刃物台１０に対する粗切削刃物１４の位置を、Ｙ方向に関して仕上げ切削刃物１２より前進した（即ち導光体２に近づいた）第１の位置（１）に切り替える。この状態で、制御部２０からの指令に基づき、サーボモータ８ｂが所要のタイミングで正転及び逆転を繰り返し、かくして送り移動機構により刃物台１０上の粗切削刃物１４がＸ方向に所要のストローク（導光体端面２ｃのＸ方向寸法より大きな距離）にて往復移動せしめられる。同時に、制御部２０からの指令に基づき、サーボモータ８ｂと同期してサーボモータ４ａが所要のタイミングで正転及び逆転を繰り返し、かくして切り込み移動機構により刃物台１０上の粗切削刃物１４がＹ方向に往復移動せしめられる。具体的には、図１及び図４において、粗切削刃物１４がＸ方向に右から左へと移動する際に粗切削加工がなされ、Ｘ方向ストロークの左端にて反転する際に粗切削刃物１４がＹ方向に僅かに後退し（即ち導光体から遠ざかり）、Ｘ方向ストロークの右端にて反転する際に粗切削刃物１４がＹ方向に所要の切り込み量（例えば１０〜３０μｍ程度）に上記後退量を加えた距離だけ前進する。このようにして所望回数（例えば５〜３０回程度）の粗切削を行う。
粗切削加工から仕上げ切削加工に移行する際には、先ず、制御部２０からの指令に基づき、刃物支持位置切り替え手段１０ｂは、図４（ｂ）に示されるように、刃物台１０に対する粗切削刃物１４の位置を、Ｙ方向に関して切削刃物１２より後退した第２の位置（２）に切り替える。次に、この状態で、制御部２０からの指令に基づき、サーボモータ４ａが正転し、かくして、図４（ｃ）に示されるように、切り込み移動機構により刃物台１０上の粗切削刃物１４がＹ方向に前進せしめられる。この前進は、Ｙ方向に関して、第１の位置での粗切削刃物１４の先端の位置と仕上げ切削刃物１２の先端の位置との差（この値は既知であり例えば１００μｍ程度である）よりも僅かに小さな距離だけおこなわれる。これにより、仕上げ切削加工の準備が完了する。
導光体端面２ｃの仕上げ切削加工に際しては、制御部２０からの指令に基づき、サーボモータ８ｂが所要のタイミングで正転及び逆転を繰り返し、かくして送り移動機構により刃物台１０上の仕上げ切削刃物１２がＸ方向に所要のストローク（導光体端面２ｃのＸ方向寸法より大きな距離）にて往復移動せしめられる。同時に、制御部２０からの指令に基づき、サーボモータ８ｂと同期してサーボモータ４ａが所要のタイミングで正転及び逆転を繰り返し、かくして切り込み移動機構により刃物台１０上の仕上げ切削刃物１２がＹ方向に往復移動せしめられる。具体的には、図１及び図４において、切削刃物１２がＸ方向に右から左へと移動する際に仕上げ切削加工がなされ、Ｘ方向ストロークの左端にて反転する際に切削刃物１２がＹ方向に僅かに後退し、Ｘ方向ストロークの右端にて反転する際に切削刃物１２がＹ方向に所要の切り込み量（例えば２〜２０μｍ程度）に上記後退量を加えた距離だけ前進する。このようにして所望回数（例えば２〜５回程度）の仕上げ切削加工を行う。
本実施形態では、以上のような導光体端面２ｃの全領域に対する均一な切り込み量での仕上げ切削加工に続いて、仕上げ切削加工の最終工程として最終仕上げ研削加工を行う。即ち、上記の均一切り込み量での仕上げ切削加工における切り込み量を、端面２ｃのＸ方向の加工位置に応じて変化させる。この切り込み量の変化は、制御部２０からサーボモータ４ａに対して所要のタイミングにて所要の変化速度での正転または逆転を指令することでなされる。
この最終仕上げ研削の際には、刃物台１０のＸ方向の送り移動の速度を、例えば５０〜２０００ｍｍ／ｓｅｃの範囲内の一定速度とすることができる。また、刃物台１０のＸ方向の送り移動の速度を、例えば５０〜２０００ｍｍ／ｓｅｃの範囲内で変化させてもよい。
図５は４段階に亘って切り込み量を変化させる例を示しており、段階１では第１の切り込み量から第２の切り込み量へと徐々に減少する切り込み量にて最終仕上げ切削加工が行われ、段階２では一定の第２の切り込み量にて最終仕上げ切削加工が行われ、段階３では該第２の切り込み量から第３の切り込み量へと徐々に増加する切り込み量にて最終仕上げ切削加工が行われ、段階４では一定の第３の切り込み量にて最終仕上げ切削加工が行われる。段階２及び段階４ではサーボモータ４ａは停止しており、段階１及び段階３ではサーボモータ４ａはそれぞれ一定速度で回転している。これにより、図６に示されるように、上記段階１〜段階４に応じて形成された最終仕上げ面領域２ｃ−１〜２ｃ−４からなる最終仕上げ端面２ｃが形成される。この最終仕上げ切削加工の際の切り込み量は、例えば３〜５０μｍ程度の範囲内で変化させることができる。最終仕上げ面領域２ｃ−１は、面光源装置を構成する際に冷陰極管や蛍光ランプ等の線状一次光源１０１の一方の端部のソケット１０１ａが対向配置される端部領域であり、同様に、最終仕上げ面領域２ｃ−３，２c−４は、面光源装置を構成する際に線状一次光源１０１の他方の端部のソケット１０１ｂが対向配置される端部領域である。尚、図５及び図６では説明のために両方の端部での切り込み深さプロファイルを異ならせているが、両方の端部で同等なプロファイルとしてもよい。また、一次光源と１０１として一方の端部のみにソケットを有するものを使用する場合には、ソケットのない方の端部に対応する導光体光入射端面端部領域での切り込み深さプロファイルを領域２ｃ−２に連続して一様なものとしてもよい。
最終仕上げ面領域２ｃ−１〜２ｃ−４は、切り込み量が異なることに基づき、表面性状が互いに異なるものになる。特に、その表面粗さは、切り込み量に応じて変化し、切り込み量が大きくなるほど表面粗さが大きくなる。最終仕上げ面２ｃ−２，２ｃ−４の表面粗さＲ（２ｃ−２），Ｒ（２ｃ−４）は、それぞれほぼ一定であり、Ｒ（２ｃ−２）＜Ｒ（２ｃ−４）の関係にある。最終仕上げ面２ｃ−１の表面粗さＲ（２ｃ−１）は、最終仕上げ面２ｃ−２との境界から端部の方へと次第に大きくなっている。また、最終仕上げ面２ｃ−３の表面粗さＲ（２ｃ−３）は、Ｒ（２ｃ−２）からＲ（２ｃ−４）へと徐々に大きくなっている。これらの表面粗さは、例えば、１０点最大平均粗さＲａ（測定長２ｍｍ）で０．０３〜０．３μｍの範囲内で変化させることができる。
刃物台１０のＸ方向の送り移動の速度を変化させることによっても、導光体端面の表面性状例えば表面粗さを変化させることができる。送り移動速度が小さい場合には端面の表面粗さが大きくなる傾向にあり、送り移動速度が大きい場合には端面の表面粗さが小さくなる傾向にある。従って、上記のような最終仕上げ切削加工の際に、切り込み量の大きな位置ほど送り移動速度を小さくして切削加工を行うことにより、より一層の表面粗さの差を実現することができる。或いは、送り移動速度を小さくすることで、所望の表面粗さを得るための切り込み量を低減することができる。
以上の実施形態では導光体端面の全体にわたって一時に最終仕上げ切削加工を行っているが、本発明では、一時に端面全体の最終仕上げ切削加工を行わなくともよい。たとえば、端面全体を一様な切り込み量にて切削加工した後に更に大きな切り込み量にて部分的に最終切削加工することが可能であり、部分的に最終切削加工した後に他の部分をより小さな切り込み量で一様に切削加工することも可能である。
このようにして最終仕上げ切削加工された端面２ｃを持つ導光体２をエッジライト方式のバックライトの導光体として使用した場合には、一次光源１０１から出射され光入射端面２ｃに入射する光は光入射端面２ｃにおいてＸ方向位置に応じて異なる光拡散を受けるので、導光体２内に導かれた光の分布は、全面均一な表面粗さの光入射端面を持つ導光体の場合とは異なるものとなる。従って、上記図５に示すような切り込み量の分布のパターンを適宜設定することで、全面均一な表面粗さの光入射端面を持つ導光体を用いた場合の導光体光出射面における輝度分布の不均一（特に導光体隅部における輝度低下）を低減することができる。
なお、最終仕上げ面領域２ｃ−１及び最終仕上げ面領域２ｃ−３，２c−４は、それぞれその長さ（Ｘ方向寸法）が２ｍｍ以上、例えば２〜１０ｍｍ、好ましくは３〜６ｍｍとなるようにする。これにより、一次光源１０１の両端部の非発光部であるソケット１０１ａ、１０１ｂに起因して該ソケットに近い導光体光入射端面２ｃの領域での光拡散を大きくすることができ、光入射端面両端部の近傍での光出射面の輝度低下を抑制することができる。
以上のような導光体を用いて構成される面光源装置の一実施形態を図９に示す。なお、導光体２は、一方の主面である光出射面２ａがマット面とされ、他方の主面２ｂには光入射端面２ｃと直交する方向に延びた多数のプリズム列が互いに平行に形成されている。光出射面２ａのマット面は導光体２内を導光される光を適度に光出射面２ａから斜め上方（ＹＺ面内においてＹ方向及びＺ方向のいずれにも斜めに交わる方向：例えばＺ方向に対して５０度〜８０度の方向）に分布ピークをもって出射させる光出射の機能を持つものである。また、主面２ｂのプリズム列は主としてＸＺ面内での出射光分布を調節する機能を持つものである。導光体端面２ｃに対向するようにリフレクタ１０２付きの線状一次光源１０１が配置される。導光体主面２ｂに対向するように光反射シート１０５が配置され、導光体光出射面２ａ上にプリズムシート１０４が配置される。プリズムシート１０４の導光体光出射面２ａと対向する下面（入光面）１０４ａには、一次光源１０１と平行にＸ方向に延びる多数のプリズム列が互いに平行に形成されている。このプリズム列は主としてＹＺ面内で導光体からの出射光を導光体光出射面の法線方向の方へと偏向させる機能を持つものである。プリズムシート１０４の上面は出光面１０４ｂとされている。
以上の実施形態では仕上げ切削刃物１２及び粗切削刃物１４を刃物台１０に対し固定した状態で切削加工を行っているが、本発明においては、仕上げ切削刃物１２及び粗切削刃物１４の少なくとも一方を刃物台１０に対し回転させた状態で切削加工を行うことも可能である。図７は、そのような変形例を示す模式的部分平面図である。この変形例では、刃物台１０に対してほぼＸＹ面と平行な面内にてＹ方向に対し僅かな傾きを持つ回転中心の周りで駆動回転せしめられるように支持されたカップ型の焼結多結晶ダイヤモンドカップホイールからなる仕上げ切削刃物１２’及び粗切削刃物１４’が使用されている。粗切削刃物１４’は、図示されるＹ方向に関し後退した第２の位置と、Ｙ方向に関し前進した第１の位置との間で移動可能である。この変形例は、上記実施形態とは端面２ｃに対する仕上げ切削刃物１２’及び粗切削刃物１４の接触形態が異なり、それによる切削加工面性状の相違はあるものの、上記実施形態とほぼ同様な作用効果を発揮する。
以下、実施例により本発明を更に説明する。
［実施例１］
射出成形及びゲートカットにより得られた横寸法３０７．５ｍｍ、縦寸法２３２．７ｍｍ、厚さ２．２ｍのアクリル樹脂製の板状導光体２の上記寸法３０７．５ｍｍの辺に対応する端面である光入射端面２ｃを、図１〜図６に関し説明した端面仕上げ加工装置を用いて、切削加工した。仕上げ切削刃物１２及び粗切削刃物１４として、いずれも焼結多結晶ダイヤモンドバイト（ダイヤモンドの平均粒径２μｍ）を用いた。なお、導光体２は、上記図９に示されるように、一方の主面である光出射面２ａがマット面とされ、他方の主面２ｂには光入射端面２ｃと直交する方向に延びた多数のプリズム列が互いに平行に形成されているものであった。
粗切削加工では、一定の送り速度１６００ｍｍ／ｓｅｃにて一定の切り込み量２５μｍで７回の切削を実施した。仕上げ切削加工では、先ず一定の送り速度１５０ｍｍ／ｓｅｃにて一定の切り込み量５μｍで３回の切削を実施し、次いで、最終仕上げ研削加工として一定の送り速度１５０ｍｍ／ｓｅｃにて図８に示すような切削深さプロファイルに従って切削を実施した。
加工済みの導光体端面２ｃの表面粗さを測定長２ｍｍ及び測定速度０．０３ｍｍ／ｓｅｃで測定したところ、１０点最大平均粗さＲａが、切り込み量５μｍの最終仕上げ面領域２ｃ−２では０．０８〜０．０９μｍであったが、切り込み量１０〜５μｍの最終仕上げ面領域では最大０．１２μｍであった。この導光体を用いて、図９に示すようなエッジライト方式のバックライトを作製した。
比較のために、最終仕上げ面領域２ｃ−１についても最終仕上げ面領域２ｃ−２と同様な一定の切り込み量５μｍで最終仕上げ切削加工したこと以外は同様にして導光体を作製し、これを用いて同様にして比較例バックライトを作製した。
双方のバックライトにつき、一次光源１０１を点灯して、プリズムシート１０４の上面（出光面）１０４ｂを観察したところ、比較例バックライトでは一次光源端部に対応する領域に低輝度の暗い領域が目だったが、本発明実施例のバックライトでは最終仕上げ面領域２ｃ−１の近傍の低輝度領域は小さくなり大幅な改善がなされ、導光体隅部の光学性能は著しく向上した。
【産業上の利用可能性】
【００１０】
本発明は、たとえば液晶表示装置のバックライトに適用される。
【図面の簡単な説明】
【００１１】
【図１】導光体端面の仕上げ加工装置を説明するための模式的構成図である。
【図２】図１の装置の模式的斜視図である。
【図３】導光体と仕上げ切削刃物及び粗切削刃物との位置関係を示す模式図である。
【図４】刃物支持位置切り替え手段による粗切削刃物の位置切り替えと粗切削加工及び仕上げ切削加工の説明図である。
【図５】最終仕上げ切削加工の加工位置と切り込み量との関係を示す図である。
【図６】最終仕上げ切削加工により形成される導光体端面の形状を示す図である。
【図７】仕上げ切削刃物及び粗切削刃物の変形例を示す模式的部分平面図である。
【図８】実施例における切削深さプロファイルを示す図である。
【図９】エッジライト方式のバックライトの斜視図である。
【符号の説明】
【００１２】
２  透光性合成樹脂板からなる板状の導光体
２ａ  導光体主面（光出射面）
２ｂ  導光体主面
２ｃ  導光体端面（光入射端面）
２ｃ−１〜２ｃ−４  最終仕上げ面領域
２ｄ，２ｅ，２ｆ  導光体端面
４  バックプレート
４ａ  サーボモータ
４ｂ  ベルト
４ｃ  ネジ軸
６  ガイドレール
８  刃物台支持部
８ａ  雌ネジ部材
８ｂ  サーボモータ
８ｃ  ボールネジ軸
１０  刃物台
１０ａ  係合部材
１０ｂ  刃物支持位置切り替え手段
１２，１２’  仕上げ切削刃物
１４，１４’  粗切削刃物
２０  制御部
１０１  線状一次光源
１０１ａ，１０１ｂ  ソケット
１０２  リフレクタ
１０４  プリズムシート
１０４ａ  入光面
１０４ｂ  出光面
１０５  光反射シート
【図１】
2005026173.tif 000003
【図２】
2005026173.tif 000004
【図３】
2005026173.tif 000005
【図４】
2005026173.tif 000006
【図５】
2005026173.tif 000007
【図６】
2005026173.tif 000008
【図７】
2005026173.tif 000009
【図８】
2005026173.tif 000010
【図９】
2005026173.tif 000011